(57)【要約】【課題】  内容把握が容易となるように文章データを提示できる情報提示装置、および方法ならびに情報提示プログラムを記録した記録媒体を提供する。【解決手段】  文章解析部２０２は、文章記憶部２０１から所望される文章データ２０８を読出して解析して、文章データ２０８の特性情報ＣＤＩを得て、文章特性記憶部２０３に格納する。表示属性設定部２０５は、文章特性記憶部２０３中の特性情報ＣＤＩに基づいて特性・表示属性対応テーブル群２０４を検索して、該文章データ２０８対応する表示属性を設定する。表示生成部２０６は、設定された表示属性に従い該文章データ２０８の表示態様を決定し、決定された態様で文章データが表示部２０７に表示される。したがって、文章データ２０８の表示態様を一瞥するだけで、文章データ２０８の内容を読まなくても、その内容が示唆する特性を速やかに類推できて、その内容を容易に把握できる。【選択図】        図２
2005346712.tif 000002
【特許請求の範囲】
【請求項１】
１つ以上の文章データを含む情報を記憶する記憶手段と、
情報を外部に出力するために、表示部を有する出力手段と、
前記記憶手段中の所定の前記文章データで示される内容に対応した特性を示す特性情報を含む所定情報に基づいて、前記所定文章データを出力するための１種類以上の属性を決定する属性決定手段と、
前記属性決定手段により決定された前記属性に従って、前記所定文章データを前記表示部に表示させるための表示制御手段とを備えた、情報提示装置。
【請求項２】
前記１つ以上の文章データがリンクにより関連付けられる場合に、
前記記憶手段には、前記リンクを示す１つ以上のリンク文字列がさらに記憶されて、
前記属性決定手段は、前記記憶手段中の所定の前記リンク文字列のリンク先の所定の前記文章データの前記所定情報に基づいて、前記所定リンク文字列の１種類以上の前記属性を決定するリンク属性決定手段を有し、
前記表示制御手段は、
前記リンク属性決定手段により決定された前記属性に従って、前記所定リンク文字列を前記表示部に表示させるためのリンク表示制御手段を有する、請求項１に記載の情報提示装置。
【請求項３】
前記所定文章データを解析して、前記特性を抽出する特性抽出手段をさらに有する、請求項１または２に記載の情報提示装置。
【請求項４】
前記所定情報には、さらに前記特性に対応するユーザの興味を示す興味情報が含まれる、請求項１ないし３のいずれかに記載の情報提示装置。
【請求項５】
前記興味情報は、前記所定文章データが、前記表示部に表示されて参照された履歴を示す履歴情報に基づいて決定される、請求項４に記載の情報提示装置。
【請求項６】
前記属性決定手段は、１種類以上の前記特性のそれぞれと、１種類以上の前記属性のそれぞれとが対応付けられたテーブルと、
前記所定文章データに対応の前記属性を前記テーブルから検索する検索手段とを有する、請求項１ないし５のいずれかに記載の情報提示装置。
【請求項７】
前記属性決定手段は、
前記所定文章データの前記特性に基づいて、前記属性を計算して決定する、請求項１ないし６のいずれかに記載の情報提示装置。
【請求項８】
前記１種類以上の属性には、前記表示部に表示される文字のフォントが含まれる、請求項１ないし７のいずれかに記載の情報提示装置。
【請求項９】
前記１種類以上の属性には、前記表示部における情報の表示色が含まれる、請求項１ないし８のいずれかに記載の情報提示装置。
【請求項１０】
前記表示部にて前記情報が、移動しながら表示される場合に、前記１種類以上の属性には、移動のパターンが含まれる、請求項１ないし９のいずれかに記載の情報提示装置。
【請求項１１】
前記１種類以上の属性は、前記出力手段にて実現が可能な出力の態様により決定される、請求項１ないし１０のいずれかに記載の情報提示装置。
【請求項１２】
前記出力手段は、音声を出力するための音声出力部をさらに有し、
前記所定文章データの前記特性に対応した所定音声を、前記表示部における前記所定文章データの表示に同期して、前記音声出力部から出力させるための音声制御手段をさらに備える、請求項１ないし１１のいずれかに記載の情報提示装置。
【請求項１３】
前記所定文章データは、前記所定音声と同期させて、前記音声出力部から音声にして出力される、請求項１２に記載の情報提示装置。
【請求項１４】
前記１つ以上のリンク文字列から前記所定リンク文字列を選択するための選択手段をさらに有し、
前記選択手段により前記所定リンク文字列が選択されたことに応答して、前記所定文章データの前記特性に対応した所定音声を、前記音声出力部から出力させる音声制御手段とをさらに備える、請求項２ないし１１のいずれかに記載の情報提示装置。
【請求項１５】
前記音声制御手段は、
前記音声出力部から出力される前記音声を、前記所定文章データの特性に基づいて定位させる定位手段を有する、請求項１２ないし１４のいずれかに記載の情報提示装置。
【請求項１６】
前記所定文章データに関連する各種の情報を、前記所定文章データの表示に同期して、前記出力手段を介して出力させる、請求項１ないし１５のいずれかに記載の情報提示装置。
【請求項１７】
所定の文章データで示される内容に対応した特性を示す特性情報を含む所定情報に基づいて、前記所定文章データを出力するための１種類以上の属性を決定する属性決定ステップと、
前記属性決定ステップにより決定された前記属性に従って、前記所定文章データを表示するための表示ステップとを備えた、情報提示方法。
【請求項１８】
情報提示方法をコンピュータに実行させるための情報提示プログラムを記録したコンピュータで読取可能な記録媒体であって、
前記情報提示方法は、
所定の文章データで示される内容に対応した特性を示す特性情報を含む所定情報に基づいて、前記所定文章データを出力するための１種類以上の属性を決定する属性決定ステップと、
前記属性決定ステップにより決定された前記属性に従って、前記所定文章データを表示するための表示ステップとを備えた、情報提示プログラムを記録したコンピュータで読取可能な記録媒体。
【発明の詳細な説明】
【技術分野】
【０００１】
この発明は文章情報をユーザに提示する情報提示装置および方法、ならびに情報提示プログラムを記録したコンピュータで読取可能な記録媒体に関し、特に文章情報が有する特性に応じて文章情報の提示の仕方を変えることにより文章情報の内容を確認しやすくして提示する情報提示装置および方法、ならびに情報提示プログラムを記録したコンピュータで読取可能な記録媒体に関する。
【背景技術】
【０００２】
情報のデジタル化に伴い、ニュースなどのさまざまな文章データが得られるようになっている。これらの文章データはコンピュータのディスプレイや電光掲示板などに表示されるので、ユーザは文章データの内容を読むことができる。また、音声化された文章データの内容を携帯型の電話などで聞くこともできる。しかし、文章データが表示される場合には、ユーザは文章を読まないとその内容を確認できないし、また文章データが音声で提示される場合は、ユーザが注意深く文章データの内容を聞かないとその内容を確認できない。そのため大量の文章データがある場合には、文章データのどの部分が必要とされる情報であるかを簡単に判断することは困難であった。
【０００３】
このような課題を解消するために、特許文献１に示される情報処理装置が提案された。この情報処理装置では、文章データは複数の単語に分割され、各単語には付加情報が付与されて、単語ごとに付加情報に応じた文字の色やサイズなどの表示属性が変更されて、文章データが表示される。これによって、表示される文章データの内容を容易に把握できるという特徴を有する。
【特許文献１】特開平９−１９０４３８号公報
【発明の開示】
【発明が解決しようとする課題】
【０００４】
上述の特許文献１に示される情報処理装置では、表示属性が変更される対象は単語単位であるため表示全体が散漫になる傾向がある。そのため、各単語を確認する必要が生じて、文章全体の内容は依然として把握しにくかった。また、文章の表示属性が部分的（単語ごとに）変更されるため、文章の可読性は低くなった。また、電光掲示板のように文章データをスクロール表示させたり文章データの一部分を切換えながら表示させる場合には、該公報による手法は効果がなかった。また、ＨＴＭＬ（Hyper Text Mark-up Languageの略）などにおけるハイパーリンクが文章データ中にあっても、リンクの表示属性はリンクを示す単語自体で決定されるので、リンク先の文章データの内容は表示属性に反映されなかった。
【０００５】
それゆえにこの発明の目的は、文章データの内容把握が容易となるようにして文章データを提示する情報提示装置および方法、ならびに情報提示プログラムを記録したコンピュータで読取可能な記憶媒体を提供することである。
【課題を解決するための手段】
【０００６】
この発明の１つの局面に係る情報提示装置は、１つ以上の文章データを含む情報を記憶する記憶手段と、情報を外部に出力するために、表示部を有する出力手段と、記憶手段中の所定文章データで示される内容に対応した特性を示す特性情報を含む所定情報に基づいて、所定文章データを出力するための１種類以上の属性を決定する属性決定手段と、決定された属性に従って、所定文章データを表示部に表示させるための表示制御手段とを備えて構成される。
【０００７】
この発明のもう一つの局面に係る情報提示方法は、所定の文章データで示される内容に対応した特性を示す特性情報を含む所定情報に基づいて、所定文章データを出力するための１種類以上の属性を決定する属性決定ステップと、決定された属性に従って、所定文章データを表示するための表示ステップとを備えて構成される。
【０００８】
この発明のもう一つの局面に係る情報提示プログラムを記録したコンピュータで読取可能な記録媒体において、情報提示プログラムは、情報提示方法をコンピュータで実行するためのものである。詳細には、情報提示方法は、所定の文章データで示される内容に対応した特性を示す特性情報を含む所定情報に基づいて、所定文章データを出力するための１種類以上の属性を決定する属性決定ステップと、決定された前記属性に従って、所定文章データを表示するための表示ステップとを備えて構成される。
【０００９】
上述した、情報提示装置、方法およびプログラムのそれぞれによれば、所定文章データの出力のための属性は、該文章データの特性に応じて決定されて、決定された属性に従って該文章データは表示されるので、表示された文章をながめるだけで該文章データの内容を把握することができる。
【００１０】
上述の情報提示装置においては、１つ以上の文章データがリンクにより関連付けられる場合に、記憶手段にはリンクを示す１つ以上のリンク文字列がさらに記憶されて、属性決定手段は、記憶手段中の所定リンク文字列のリンク先の所定文章データの所定情報に基づいて、所定リンク文字列の１種類以上の属性を決定するリンク属性決定手段を有し、表示制御手段は、決定された属性に従って、所定リンク文字列を表示部に表示させるためのリンク表示制御手段を有する。
【００１１】
したがって、ハイパーリンクなどのリンクを示すリンク文字列は、リンク先の文章データの特性に応じて決定された属性に従って表示されるので、リンクをたどる前にリンク先の文章データの内容を、リンク文字列の表示態様から把握することができる。
【００１２】
上述の情報提示装置は、好ましくは、所定文章データを解析して、特性を抽出する特性抽出手段をさらに有する。したがって、所定文章データの特性は文章データを解析することによって得られるので、文章データ毎に予め特性が設定されていなくても、所定文章データの内容に応じた属性を決定することが容易に可能となる。
【００１３】
上述の情報提示装置は、好ましくは、所定情報には、特性に対応するユーザの興味を示す興味情報がさらに含まれる。したがって、所定文章データの特性に対するユーザの興味の程度に応じて、属性が決定されるので、ユーザの興味がある文章データを効率的に探して表示させることが可能となる。
【００１４】
上述の情報提示装置は、好ましくは、興味情報は、所定文章データが、表示されて参照された履歴を示す情報に基づいて決定される。したがって、ユーザの興味は、ユーザの文章データの参照履歴に基づいて抽出されるから、どのような文章の特性に興味があるかを、ユーザは予め設定しなくてもよい。
【００１５】
上述の情報提示装置において、好ましくは、属性決定手段は、１種類以上の特性のそれぞれと、１種類以上の属性のそれぞれとが対応付けられたテーブルと、所定文章データに対応の属性をテーブルから検索する検索手段とを有する。したがって、属性は、文章データの特性と属性とを対応付けるテーブルが検索されて決定されるので、テーブルの内容がリアルタイムに更新されていくことにより、同じ特性を持つ文章データが連続して表示されても、それぞれ異なる属性で表示できて、文章データの区別が容易となる。
【００１６】
上述の情報提示装置は、好ましくは、属性決定手段は、所定文章データの特性に基づいて、属性を計算して決定する。したがって、計算により、文章データの作成時間などの連続量で表わされる特性を、表示される文字の大きさなどの連続量で表わされる属性に対応付けることができる。
【００１７】
上述の情報提示装置は、好ましくは、１種類以上の属性には、表示される文字のフォントが含まれる。したがって、文章データの特性は文字のフォントで表現されるので、直感的に所定文章データの内容を把握することが可能となる。
【００１８】
上述の情報提示装置は、好ましくは、１種類以上の属性には、情報の表示色が含まれる。したがって、所定文章データの特性は表示色で明示されるから、所定文章データが、文字が読めないくらい小さく表示されたとしても、表示される文章データの内容を、その表示色から容易に把握することができる。
【００１９】
上述の情報提示装置は、好ましくは、表示部にて情報が、移動しながら表示される場合に、１種類以上の属性には、この移動のパターンが含まれる。したがって、所定文章データの特性を移動パターンで表現することができる。それゆえにから、たとえば表示における移動開始位置を特性ごとに異なるようにすれば、所望する特性の文章データに注目するには、特定の移動開始位置を注視すればよく、ユーザは、容易に所望する文章データを選択して確認することが可能となる。
【００２０】
上述した情報提示装置は、好ましくは、１種類以上の属性は、出力手段にて実現が可能な出力の態様により決定される。したがって、表示部を含む出力部がネットワークに接続されているような不特定のものであっても、出力部の性能に合せた属性を利用することができる。
【００２１】
上述の情報提示装置は、好ましくは、出力手段は、音声を出力するための音声出力部をさらに有し、所定文章データの特性に対応した所定音声を、所定文章データの表示に同期して、音声出力部から出力させるための音声制御手段をさらに備える。したがって、所定文章データの特性に対応する音声が、該文章データの表示に同期して出力されるから、電光掲示板などが表示部として採用されたとしても、文章データが表示されるのを見逃すことは防止される。
【００２２】
上述の情報提示装置は、好ましくは、所定文章データは、所定音声と同期させて、音声出力部から音声にして出力される。したがって、所定文章データは音声で出力されるので、音声を聞くだけで文章データの内容を知ることができる。
【００２３】
上述の情報提示装置は、好ましくは、１つ以上のリンク文字列から所定リンク文字列を選択するための選択手段をさらに有し、、所定リンク文字列が選択されたことに応答して、所定文章データの特性に対応した所定音声を、音声出力部から出力させる音声制御手段とをさらに備える。したがって、リンク文字列が選択されたときには、リンク先の所定文章データの特性に応じた音声が出力されるから、リンク先の文章データの内容を音声で確認することができる。
【００２４】
上述の情報提示装置は、好ましくは、音声制御手段は、音声出力部から出力される音声を、所定文章データの特性に基づいて定位させる定位手段を有する。したがって、所定文章データの特性に応じて音声が定位する位置は変更されるから、出力される文章データの内容を、音声の聞こえる方向に基づいて連想することが容易に可能となる。
【００２５】
上述の情報提示装置は、好ましくは、所定文章データに関連する各種の情報を、所定文章データの表示に同期して、出力手段を介して出力させる。したがって、所定文章データに関連する各種の情報が、たとえば画像、映像および音声などの多様な情報が、所定文章データと関連させて表示あるいは音声出力されて、より明確に、所定文章データの内容を把握することができる。
【００２６】
上述の記憶手段において、リンク文字列は、文章データとは別にして記憶されてもよく、また、文章データ中にリンク文字列が含まれてもよい。
【発明の効果】
【００２７】
この発明に係る情報提示装置、方法およびプログラムのそれぞれによれば、所定文章データの出力時の属性は、該文章データの特性に応じて決定されるから、表示される所定文章データをながめるだけで、表示されている所定文章データの内容を容易に把握できる。
【発明を実施するための最良の形態】
【００２８】
以下、この発明の各実施の形態について図面を参照し詳細に説明する。
（第１の実施の形態）
以下、この発明の第１の実施の形態について説明する。
【００２９】
図１は、この発明の第１および第２の実施の形態に係る情報提示装置のブロック構成図である。図１おいて情報提示装置は一般的なコンピュータの構成を有する。図において情報提示装置はＣＰＵ（中央処理装置の略）１０１、各種プログラムおよび各種データが格納されるＲＯＭ（リードオンリメモリの略）１０２、後述する辞書データ２１４および補助辞書データ２１８を含む各種データが格納されるＲＡＭ（ランダムアクセスメモリ）１０３、外部記憶媒体１１２がセットされて、記憶媒体１１２をアクセスするための外部記憶媒体ドライバ１０４、外部にデータを表示するための表示装置１０６およびこれをコントロールするための表示コントローラ１０５、外部に音声を出力するための音声出力装置１０８およびこれをコントロールするための音声コントローラ１０７、インターネットを含む通信ネットワーク１１１を該装置と接続するための通信コントローラ１０９、および外部操作されて外部からのデータを入力するための入力装置１１０を含む。
【００３０】
ＣＰＵ１０１は該装置全体の動作を制御および管理する。表示コントローラ１０５はＣＰＵ１０１がＲＯＭ１０２、ＲＡＭ１０３、外部記憶媒体１１２に記憶されているデータを処理することによって生成された表示内容を管理して、表示装置１０６に表示する。表示装置１０６は、ＣＲＴ（陰極線管の略）や液晶ディスプレイやＬＥＤ（発光ダイオードの略）ディスプレイなどからなる。音声コントローラ１０７は、ＣＰＵ１がＲＯＭ１０２、ＲＡＭ１０３、外部記憶媒体１１２に予め記憶されているデータを処理することによって生成された音声データを管理し、音声出力装置１０８を用いて再生する。音声出力装置１０８は、スピーカやヘッドホンからなる。通信コントローラ１０９はモデムやＴＣＰ／ＩＰ（Transmission Control Protocol/Internet Protocolの略）コントローラなどであり、インターネットなどを含む通信ネットワーク１１１を介してデータの入出力を行なう。入力装置１１０はキーボードやマウスなどからなる。
【００３１】
図２は、図１の情報提示装置における機能構成ブロック図である。図２において、情報提示装置は、文章記憶部２０１、文章解析部２０２（２１０）、文章特性記憶部２０３、特性・表示属性対応テーブル群２０４、表示属性設定部２０５、ならびに表示装置１０６に対応する表示生成部２０６および表示部２０７を含む。
【００３２】
文章記憶部２０１には、複数の文章データ２０８（２０９）が記憶されるとともに、後述するように文章データ２０９のそれぞれについてハイパーリンクによるリンク文字列５０３が記憶される。文章記憶部２０１に記憶される文章データはＲＯＭ１０２、ＲＡＭ１０３および外部記憶媒体１０４に固定的に記憶されるデータであってもよいし通信コントローラ１０９を介して外部の通信ネットワーク１１１から受信されるようなデータであってもよい。文章記憶部２０１に記憶される文章データ２０８（２０９）は、通常のテキストデータの他に、ＳＧＭＬ（Standard Generalized Markup Languageの略）やＸＭＬ（eＸtensible  Ｍarkup Ｌanguageの略）などのマークアップ言語によって特性情報が付与されたデータであってもよい。
【００３３】
なお、リンク文字列５０３は文章データ２０９と個別に記憶されなくてもよい。たとえば、文章データ２０９中のどの部分の文字列がリンク文字列５０３であるかを特定するような情報を記憶するようにしてもよい。たとえば、ＨＴＭＬ文書（ＷＷＷページ）のように、文書中の特定の文字列に、別の文書にリンクするための情報を持たせるようにしてもよい。
【００３４】
文章解析部２０２（２１０）は、文章記憶部２０１に記憶される文章データ２０８（２０９）を解析して、文章データ２０８（２０９）の特性を計算する。文章データ２０８（２０９）ＳＧＭＬやＨＴＭＬやＸＭＬなどのマークアップ言語によって特性情報が付与されたデータであれば、これを利用して解析すればよい。
【００３５】
図３には文章データ２０８の一例が示される。文章データ２０８中の各部分データは、その内容を示すために各種のタグが付与される。たとえば、図３に示されるように文章データ２０８のタイトルを示す部分には、対応の部分データはタイトルであることを示す＜title＞タグ３０１と＜/title＞タグ３０２が付与されて、該文章データ２０８の示す内容が該当する分類を示す部分には、対応の部分データは分類であることを示す＜category＞タグ３０３と＜/category＞タグ３０４が付与されて、該文章データ２０８が配信された時間を示す部分には、対応の部分データは配信時間であることを示す＜date＞タグ３０５と＜/date＞タグ３０６が付与されて、文章データ２０８の本文部分には、対応の部分データは本文であることを示す＜body＞タグ３０７と＜/body＞タグ３０８が付与されて、該文章データ２０８の重要度の程度を示す部分には、対応の部分データは重要度の程度であることを示す＜imp＞タグ３０９と＜/imp＞タグ３１０が付与されて、および該文章データ２０８が参照された履歴を示す部分には、対応の部分データは参照履歴であることを示す＜/ref＞タグ３１１と＜ref＞タグ３１２が付与されて、それぞれ特定されながら記述されている。
【００３６】
従って、文章解析部２０２では、図３の文章データ２０８は、付与されたタグで示されるデータに基づいて解析されて、特性情報が取得される。つまり、文章データ２０８は、たとえば、「社会」という分類に属し、「１９９９年５月２１日８時４６分」に配信されたことが、該文章データの特性情報として、特定される。文章解析部２０２では、文章データ２０８中に付与されたこれらのタグで示される内容を抽出することによって文章データ２０８の特性情報を得て、＜title＞タグ３０１や＜body＞タグ３０７で示される内容を取出すことによって表示されるテキストデータを得て、それぞれ文章特性記憶部２０３に特性情報ＣＤＩとして記憶される。
【００３７】
特性・表示属性対応テーブル群２０４は、文章データ２０８から得られた１つ以上の特性情報ＣＤＩのそれぞれについて、表示部２０７における表示態様を特定するための表示属性データＡＴＩとの対応関係が格納された特性・表示属性対応テーブルＴＢｉ（ｉ＝１、２、３、…）を含む。図４（Ａ）〜（Ｄ）には特性・表示属性対応テーブルＴＢ１〜ＴＢ４の一例が示される。図４（Ａ）〜（Ｄ）では、文章データ２０８中のタグ３０３〜３０６、タグ３０９〜３１０にて指示される分類、重要度、配信の日時および参照履歴を示す特性データＣＤ１〜ＣＤ４のそれぞれに対応して、表示におけるフォント、字体の装飾、色、影の有無を示す表示属性データＡＴｉが割当てられている。
【００３８】
たとえば、文章データ２０８の解析により得られた特性情報ＣＤＩが、文章データ２０８に関して分類が“社会”であり、重要度が“高い”を示し、配信された日時が“１時間以内”に配信されたことを示し、参照履歴が“未参照”を示す場合には、表示属性設定部２０５により特性情報ＣＤｉに基づいて、特性・表示属性対応テーブルＴＢ１〜ＴＢ４が検索されて、対応する表示属性データＡＴｉが読み出されて、設定される。
【００３９】
表示生成部２０６は、設定された表示属性データＡＴｉを参照して、文章データ２０８が、ゴシック体の太字で、赤色で影が付けられて表示部２０７に表示されるように制御する。
【００４０】
なお、特性・表示属性対応テーブル群２０４に含まれる各テーブルＴＢｉの内容は固定である必要はなく、システムの状態により変更してもよい。たとえば、表示部２０７において表示可能な表示属性に基づいて、特性・表示属性対応テーブル群２０４の内容を設定すれば、表示装置１０６が白黒表示のディスプレイである場合には、色の情報を表示属性データＡＴ３として使用しないように、柔軟に対応することができる。
【００４１】
また、分類を示す特性データＣＤ１のそれぞれについて、異なるフォントを示す表示属性データＡＴ１が複数個設定された特性・表示属性対応テーブルＴＢ１を準備してもよい。この場合には、表示属性設定部２０５により、文章データ２０８ごとに順番に表示フォントの種類が切換設定されるようにすれば、同じ分類に属する複数の文章データ２０８が連続して表示される場合であっても、それぞれの文章データ２０８の表示時の文字のフォントにより、次の文章データ２０８に切換え表示されたことを報知できる。
【００４２】
表示生成部２０６は文章記憶部２０１に記憶される文章データ２０８を、表示属性設定部２０５により設定された１つ以上の表示属性ＡＴｉを用いて、表示部２０７にて表示される内容に生成する。表示生成部２０６で生成された表示内容は、表示部２０７に与えられて、ここで表示される。
【００４３】
図５には、図１の情報提示装置の第１の実施の形態に係る概略処理フローチャートが示される。図５において、まずＣＰＵ１０１により文章記憶部２０１に記憶される複数の文章データ２０８の中から、次に表示すべき文章データ２０８が選択的に読出される（ステップＳ４０１）。この場合、読出される文章データ２０８は、複数の文章データ２０８の文章記憶部２０１に記録された順番、文章データ２０８のタイトルの５０音順番、文章データ２０８の重要度の順番などの情報に基づいて、選択されるようにしてもよい。また、これらの順番の情報を複数種類組合わせた順番に基づいて選択するようにしてもよい。また、文章データ２０８の検索結果や参照履歴など、システムの状態に応じた情報に基づいて選択するようにしてもよい。また、ランダムに選択してもよい。また、文章データ２０８が通信ネットワーク１１１から受信される場合には、受信した順番に基づいて選択されるようにしてもよい。
【００４４】
次に、読出された文章データ２０８の特性情報ＣＤＩが解析により特定される（ステップＳ４０２）。特性の解析方法については前述したとおりである。次に、表示属性設定部２０５により、特定された特性情報ＣＤＩに基づいて特性・表示属性対応テーブル群２０４が検索されて、表示属性データＡＴｉが設定される（ステップＳ４０３）。次に、表示生成部２０６および表示部２０７により、ステップＳ４０１で選択された文章データ２０８は、ステップＳ４０３で設定された表示属性データＡＴｉで示される表示態様に従って表示される。
【００４５】
図６（Ａ）〜（Ｆ）には、この発明の第１の実施の形態において電光掲示板に文章データをスクロールさせながら表示する例が示される。表示装置１０６および表示部２０７が電光掲示板に対応するものであり、この電光掲示板に、図６（Ａ）のような文章データ２０８が表示されると想定する。文章データ２０８の特性情報ＣＤＩは、分類が“社会”であり、重要度が“高い”であり、“１時間以内”に配信されたことを示し、参照履歴が“未参照”を示しているものとする。このような特性情報ＣＤＩに基づいて特性・表示属性対応テーブル群２０４を検索することによって、文章データ２０８はゴシック体の文字で、赤色で影が付されて電光掲示板にスクロール表示されることになる。つまり図６（Ｂ）のように表示開始されて、文章データ２０８で示される各文字列は、自動的に電光掲示板の右から左方向にスクロール表示されていく。なお、この例では、文章データ２０８の先頭データが表示されていることを示すために、先頭データに対しては、白抜きの丸（〇）が付されて表示される。
【００４６】
以降、スクロール表示が継続して行なわれて図６（Ｃ）のように表示されたときも、文章データ２０８全体が同じ表示属性ＡＴｉに従って表示されるので、ユーザは電光掲示板における文章データ２０８の表示の態様を一瞥するだけで、表示されている文章データ２０８の特性を知ることができる。それゆえに、文章データ２０８の一部分しか見ていなくても、文章データ２０８で示される内容を理解することが容易になる。
【００４７】
スクロール表示がさらに続き図６（Ｄ）のように、一度は見逃してもよいように、同じ文章データ２０８が二度表示される。このとき二度目の表示内容は、既に一度表示されているので、文章データ２０８のタグ３１１と３１２で示される参照履歴は“有り”と設定される。したがって、二度目に表示される文章データ２０８は、図４（Ｄ）の特性・表示属性対応テーブルＴＢ４の内容に基づいて影なしで表示されることになる。
【００４８】
このように、表示態様が設定されながら文章データ２０８が表示されることで、同じ文章データ２０８が二度繰返してスクロール表示される際には、ユーザは見ている文章データ２０８は二度目に表示されているものであるか否かを、その表示の態様で速やかに知ることができる。したがって、一度目の表示途中から文章データ２０８を見ていた場合は、しばらく待機すれば再度、文章データ２０８が表示されるであろうことを容易に判断できる。
【００４９】
さらに、図６（Ｅ）のような別の文章データ２０８が連続して表示されるとする。この場合には、文章データ２０８に関して得られた特性情報ＣＤＩが、分類は“スポーツ”で、重要度は“通常”であり、かつ “今日”に配信されたことを示し、さらに参照履歴は“参照済”であることを示している場合には、図４（Ａ）〜（Ｄ）の特性・表示属性対応テープＴＢ１〜ＴＢ４が検索されることにより対応する表示属性データＡＴｉが特定される。したがって、図６（Ｅ）の文章データ２０８は、図６（Ｆ）のように、文字フォントについては勘亭流であって、文字の装飾なしで、青色で、そして影なしで表示されることになる。ユーザは表示されている文章データ２０８の表示の態様を確認するだけで、別の異なる文章データ２０８に切換表示されたことを容易に認識できる。
【００５０】
また、ここで、表示装置１０６として、スクロールの速度をユーザにより調整される電光掲示板を想定する。この場合、第１の実施の形態によれば、文字を読まなくても提示される文章データ２０８の特性を把握することが可能となるので、ユーザは、文章データ２０８を順次高速にスクロールさせていき、興味を持った文章データ２０８が表示されていることを、その表示態様（表示の属性データＡＴ３で示される表示態様）で確認したら、スクロール速度が遅くなるように調整して、文章データ２０８の内容をゆっくりと読んで把握することができる
（第２の実施の形態）
以下、この発明の第２の実施の形態について、表示装置１０６として文章データの文字をスクロールさせながら表示する電光掲示板が採用される場合について説明する。ここでは、文章記憶部２０１の各文章データは、ハイパーリンクにより結合されると想定しており、リンク先の文章データを参照するハイパーリンクのリンク文字列がスクロール表示される。
【００５１】
図７（Ａ）と（Ｂ）では、この発明の第２の実施の形態による文章データ２０９が示される。文章データ２０９は、ハイパーリンクを利用して作成された文章データであって、図７（Ａ）には、ハイパーリンクを示すリンク文字列５０３が示される。つまり図７（Ａ）では、タグ＜a href＝“fire：/data/news/９９０５２１＿１．ｘｍｌ”＞というタグによって、該タグに続くリンク文字列５０３は、/data/news/９９０５２１＿１．ｘｍｌで示されるファイルにリンクされていることが示される。一方/data/news/９９０５２１＿１．ｘｍｌで示されるファイルの内容は、図７（Ｂ）に示されるようなリンク先の文章データ２０９で示される。
【００５２】
図７（Ｂ）の、リンク先の文章データ２０９は、図３で示されたようなタグ３０１〜３１２で示される特性情報は付与されていないので、文章解析部２１０によりタグの情報を用いることなく解析されて、特性情報ＣＤＩが特定される。具体的には、たとえば、文章データ２０９は、文章解析部２１０により形態素解析されて、複数の単語に分解されて、各単語ごとに重要度と分類とに関する情報が設定され、これら情報が統合されることで、文章データ２０９の特性情報が計算される。この方法以外にも、たとえば特開平６−１９５３８８号公報に開示されている方法を用いてもよい。
【００５３】
図８には、図７（Ｂ）の文章データ２０９が形態素解析された結果が表形式にて示される。文章データ２０９を形態素解析すると、図８で示されるような複数の単語２１１と、複数単語２１１のそれぞれについてその品詞を示す品詞データ２１２と、重みを示す重みデータ２１３とが得られる。ここでは、文章データ２０９の特性に影響しない助詞などの品詞データ２１２を有した単語２１１は、形態素解析の結果からは取除かれている。図８で示されるように、それぞれの単語２１１に対する重みデータ２１３で示される重みは、文章データ２０９中に該単語２１１が出現する頻度が高いほど大きく、逆に他の文章データ２０９中に出現する頻度が高いほど小さくなるように設定される。
【００５４】
次に、図１のＲＡＭ１０３に予め登録された辞書データ２１４を用いて各単語２１１の特性が決定される。図９には、図１の辞書データ２１４の内容例が示される。図において、辞書データ２１４は、複数の見出し語２１５と、各見出し語２１５に対して「文化」、「芸術」、「趣味」などの特性を示す特性項目２１６ｉ（ｉ＝１〜ｎ）に対応の関連度２１７ｊ（ｊ＝１、２、３、…）とが設定されている。文章解析部２１０は、図８の各単語２１１に基づいて図９の辞書データ２１４を検索して、対応する見出し語２１５を特定して、特性された各見出し語２１５に対応する複数の関連度２１７ｊの値に、対応する単語２１１の重みデータ２１３を乗じて、この乗算結果値を特性項目２１６ｉごとに足し合せる。結果として、文章データ２０９全体として、どの特性項目２１６ｉの値が高いかに応じて、文章データ２０９の特性情報ＣＤＩを求めることができる。
【００５５】
図１０には、図１の補助辞書データ２１８の内容例が示される。複数の時事キーワードが見出し語２１９として登録された補助辞書データ２１８は、内容が随時更新されるので、辞書データ２１４にこれを併用し、かつ補助辞書データ２１８が優先的に参照（検索）されることで、ニュースなどの文章データ２０９の特性情報ＣＤＩを正確に計算できる。
【００５６】
図１０の補助辞書データ２１８においては、見出し語２１９の「トキ」には、図９の辞書データ２１４とは異なる値の関連度２２０ｊが設定されている。また、見出し語２１９においては「ヤンヤン」のように未定義語や、「小渕」「コソボ」といった固有名詞についても、関連度２２０ｊが設定されている。ニュースの文章データ２０９に対して補助辞書データ２１８が優先して参照される場合は、見出し語２１９は、ニュース性を失ったら補助辞書データ２１８から削除すればよいし、別の分野（特性項目２１６ｉ）で注目されるようになったら、対応する関連度２２０ｊの値を変更すればよい。以上のようにして、文章データ解析部２１０により文章データ２０９を解析して、その特性情報ＣＤＩを計算により求めることができる。
【００５７】
図１１〜図１６を参照して、第２の実施の形態による文章データ２０９の表示例を説明する。図１１には、第２の実施の形態における表示領域５０１と文章データ２０９の特性との対応関係が説明される。図１１において、図１の表示装置１０６の矩形状の表示領域５０１の周辺の領域は、文章データ２０９の特性項目２１６ｉのそれぞれに対応する複数の特性領域５０２ｉに分割される。図７（Ａ）のリンク文字列５０３は、リンク先の文章データ２０９を解析して求められた特性情報ＣＤＩに対応した特性領域５０２ｉから、表示領域５０１内の方向に移動しながら現われるように表示される。
【００５８】
図１２〜図１６は、図１１におけるリンク文字列５０３の表示例を説明する図である。たとえば、図７の「トキのひな、誕生秒読み」というリンク文字列５０３のリンク先の文章データ２０９の特性情報ＣＤＩが“社会”を示している場合に、リンク文字列５０３は、図１１の特性情報ＣＤＩに一致する特性項目２１６ｉ（“社会”）に対応する特性領域５０２ｉから表示領域５０１内へ入ってくるように移動しながら表示され（図１２参照）、そのまま表示領域５０１中を移動し（図１３参照）、その後、表示領域５０１中で矢印Ａ方向に移動方向を変えて（図１４参照）、入ってきた位置に対応の特性領域５０２ｉから再び表示領域５０１外へ出て行くように移動表示される（図１５参照）。
【００５９】
このようにして、文章解析部２１０の解析結果により得られた特性情報ＣＤＩと表示領域５０１における表示開始位置とを対応付けることができる。それゆえに、リンク文字列５０３が表示領域５０１内に現われたときに、ユーザはその表示開始位置に基づいて、リンク先の文章データ２０９の内容を知ることができ、興味のある内容を持つリンク文字列５０３を参照することが容易となる。
【００６０】
さらに、図１６のように表示領域５０１において移動中のリンク文字列５０３を、ユーザが入力装置１１０のマウスカーソル５１４で指示すると、リンク先の文章データ２０９を表示するウィンドウ５０５が提示される。
【００６１】
別の表示例としては、次のようなものがある。つまり、文章データ解析部２１０において、文章データ２０９の第１位の特性情報ＣＤＩと第２位の特性情報ＣＤＩとを上述の解析により計算して求める。そして、リンク文字列５０３を、第１位の特性情報ＣＤＩに対応する特性領域５０２ｉから表示領域５０１内に入り、表示領域５０１内で表示されて、表示領域５０１内から第２位の特性情報ＣＤＩに対応する特性領域５０２ｉへ出て行くように、移動表示させる。このような、表示領域５０１におけるリンク文字列５０３の移動パターンから、ユーザは文章データ２０９の示す内容を、より詳しく知ることができる。
【００６２】
また、リンク文字列５０３に関して重要度の情報を有して、重要度の高いリンク文字列５０３は表示領域５０１中で１巡回させるなど、特性情報ＣＤＩとは異なる他の特性に応じた移動パターンを生成して、移動表示させるようにしてもよい。
【００６３】
また、リンク文字列５０３の移動パターンは、２次元的なものに特定されず、３次元的に移動させるように計算されたものであってもよい。同時に、複数のリンク文字列５０３を移動させながら表示させてもよい。
【００６４】
図１７は、この発明の第２の実施の形態によるリンク文字列を表示する処理の概略フローチャートである。図１７を参照して、リンク文字列５０３を表示する処理について説明する。まず、ＣＰＵ１０１により文章記憶部２０１に記憶される複数個のリンク文字列５０３の中から、次に表示されるべきリンク文字列５０３が選択されて読出される（ステップＳ６０１）。どのリンク文字列５０３を選択するかの手順は、前述した図５におけるステップＳ４０１と同様である。
【００６５】
次に、選択されて読出されたリンク文字列５０３のリンク先の文章データ２０９を参照して、上述した文章データ解析部２１０の解析処理により、その特性情報ＣＤＩが求められる（ステップＳ６０２）。次に、求められた特性情報ＣＤＩから、リンク文字列５０３の表示領域５０１における移動パターンが生成される（ステップＳ６０３）。
【００６６】
次に、リンク文字列５０３の表示領域５０１における表示開始時刻からの経過時間に基づいて、表示位置が計算される（ステップＳ３０４）。たとえば、リンク文字列５０３が移動パターンしたがって等速で移動する場合、移動パターンの全長を変数Ｌ、リンク文字列５０３の全表示時間を変数Ｔ、表示開始時刻からの経過時間を変数ｔにそれぞれ設定すると、移動パターンの始点からＬ＊ｔ／Ｔの長さで示される位置が、リンク文字列５０３の先頭の表示位置として算出される。次に、算出された表示位置に基づいてリンク文字列５０３が表示される（ステップＳ６０５）。次に、リンク文字列５０３の表示は終了したか否かが判定される（ステップＳ６０８）。表示終了していないときは、ステップＳ６０４に戻り処理が継続される。終了した場合は、処理は終了する。
【００６７】
以上の処理が、文章記憶部２０１中のリンク文字列５０３のそれぞれに対して順次繰返されることで、電光掲示板としての機能が実現される。
【００６８】
また、以上の処理を複数のリンク文字列５０３に対して並行して行なうようにすれば、同時に複数のリンク文字列５０３を表示領域５０１に表示することができる。
【００６９】
（第３の実施の形態）
さらに、第３の実施の形態について説明する。
【００７０】
図１８は、この発明の第３の実施の形態による情報提示装置の構成を示すブロック図である。図１８において、情報提示装置は文章記憶部２０１、文章解析部２０２、文章特性記憶部２０３、特性・表示属性対応テーブル群２０４、表示属性設定部２０５、表示生成部２０６、表示部２０７、関連データ記憶部７０８、データ対応記憶部７０９、入力装置１１０に対応の入力部７１０、参照履歴記憶部７１１、ユーザ興味データ抽出部７１２およびユーザ興味データ記憶部７１３を含む。
【００７１】
文章記憶部２０１、文章解析部２０２、文章特性記憶部２０３、特性・表示属性対応テーブル群２０４、表示属性設定部２０５、表示生成部２０６および表示部２０７のそれぞれは、図２で説明されたものと同じ機能を有するので、ここでは説明が省略される。
【００７２】
関連データ記憶部７０８には、文章データ２０８（２０９）に関連する文字、画像、映像、音声などの各種データが関連データ７１４として記憶される。
【００７３】
データ対応記憶部７０９には、文章記憶部２０１に記憶される複数の文章データ２０８（２０９）のそれぞれと、関連データ記憶部７０８に記憶された複数の関連データ７１４のそれぞれとの対応関係を示す対応関係データ７１５が記憶される。たとえば、“foo.txt”という名前の文章データ２０８（２０９）に対応して、“bar．dat”という名前の関連データ７１４が対応付けされているというように、１つの文章データ２０８（２０９）に対応して１つ以上の関連データ７１４の対応付けを示す対応関係データ７１５が記憶される。また、文章データ２０８において、ＳＧＭＬ、ＨＴＭＬ、ＸＭＬなどのマークアップ言語を用いて関連データ７１４との対応付けが記述されている場合には、文章データ２０８を文章解析部２０２により解析することによって対応関係データ７１５を抽出して、データ対応記憶部７０９に記憶するようにしてもよい。
【００７４】
また文章データ２０８（２０９）内に出現するキーワードなどで関連データ７１４を検索することによって、明示的に示されてなくても、対応関係データ７１５を自動的に作成して、データ対応記憶部７０９に記憶することもできる。
【００７５】
表示部２０７に表示されている内容を指し示して選択するために、ユーザにより外部操作される入力部７１０が設けられる。入力部７１０により表示部２０７の表示領域５０１における指示された座標位置と表示生成部２０６で生成された表示内容とから、指示された位置に対応の文章データ２０８が決定される。文章データ２０８が、指示されて参照されたかを示す参照履歴情報７２２は、参照履歴記憶部７１１に記憶される。このとき、参照履歴記憶部７１１には、該文章データ２０８の特性情報も併せて記憶されてもよい。
【００７６】
ユーザ興味データ抽出部７１２は、参照履歴記憶部７１１に記憶される内容に基づいて、ユーザがどのような特性情報を有した文章データ２０８（２０９）に対して興味があるのかを計算して抽出する。たとえば、特定の特性を有した文章データ２０８が参照されている回数が多いときには、ユーザはその特性に興味があると判断される。また、参照されている時刻も利用されるようにすると、さらによい。たとえばユーザは朝には経済、晩にはスポーツの特性を持つ文章データ２０８（２０９）に興味があることが参照履歴記憶部７１１に記憶されている場合には、特定の条件を利用してユーザの興味データを抽出することができる。この興味データの抽出の方法については、一般的な統計処理やデータマイニングとして知られる技術を利用すればよく、詳細説明は省略される。
【００７７】
ユーザ興味データ記憶部７１３には、ユーザ興味データ抽出部７１２で計算により抽出されたユーザの興味に関する情報が記憶される。また、ユーザが興味を持っている文章データ２０８の特性は何であるかを、ユーザが入力部７１０を操作して明示的にユーザ興味データ記憶部７１３に書込んで設定するようにしてもよい。ユーザ興味データ記憶部７１３で記憶される情報は、表示属性設定部２０５で、文章データ２０８の表示属性を特定する際に参照される。
【００７８】
図１９〜図２３は、この発明の第３の実施の形態による文章データの表示例を説明する図である。図１９〜図２３を参照して、第３の実施の形態による情報提示装置におけるテレビ番組などのプログラム情報の提示態様を説明する。
【００７９】
図１９には表示部２０７の表示領域におけるプログラム情報の表示例が示される。ここでは、プログラム情報が表形式にして示される。つまり、複数の放送局名７１６のそれぞれについて、各時間帯７１７において放送されるテレビ番組を示す番組データ７１８ｉが示される。番組データ７１８ｉには、図３の文章データ２０８と同様にして、対応する番組の内容を記述した文章データ２０８についての特性情報ＣＤＩが、文章特性記憶部２０３に予め記憶されているものとする。あるいは、番組の内容を記述する文章データ２０８から、特性情報ＣＤＩが文章解析により計算されて、文章特性記憶部２０３に設定されるようにしてもよい。各番組データ７１８ｉは、このようにして設定された特性に基づいて背景色が割当てられて、表示される。図２０は、この発明の第３の実施の形態による番組データの特性を示す特性データ７１９のそれぞれと、割当てられる背景色を特定する背景色データ７２０との関係を表形式にして示す図である。このデータはＲＯＭ１０２などに予め固有に記憶される。
【００８０】
図２１には、図１９の表示例が放送時間帯７１７方向に縮小されて、より多くの番組データ７１８ｉが一覧表示される例が示される。図２１では、番組データ７１８ｉのそれぞれは、表示領域に合せて内容が省略されたり文字が縮小されて表示される。そのためユーザは、番組データ７１８ｉの内容を読んで、番組の内容を把握するのは困難である。しかしながら、番組データ７１ｉの背景色により番組の特性を容易に知ることができる。なお、背景色の代わりに、番組データ７１８ｉの表示フォントを特性に応じて変更させてもよい。その場合でも、文字の表示フォントで示される雰囲気から、対応する番組の内容の判別が容易に可能となる。
【００８１】
図２２には、図１８の参照履歴記憶部７１１における参照履歴情報と現在の時刻の情報とに基づく番組データの表示例が示される。図２２では、図１９の表示の状態に対し、ユーザが「ドラマ」の特性を持つ番組データ７１８ｉをよく参照しているということを示す参照履歴記憶部７１１中の参照履歴情報７２２と、現在の時間帯が１９時に該当するとのことから、番組データ７１８ｉのそれぞれについて文字の表示色が変更されている。「ドラマ」の特性を持たない番組データ７１８ｉは文字の表示色が薄くなり、「ドラマ」の特性を持つ番組データ７１８ｉ（図２２中の矢印Ｃ１〜Ｃ４で示される番組データ７１８ｉ）のうち、たとえば現在放送中の矢印Ｃ３で示される番組データ７１８ｉ（番組名“怒りんぼう将軍”）は、特に目立つ色で文字が表示される。このようにして、番組データ７１８ｉを、ユーザの嗜好や時間等の状況に合わせた表示の態様とすることができる。
【００８２】
図２３には図１９の任意の番組データ７１８ｉについて詳細情報が表示された状態が示される。入力部７１０のマウスカーソルなどで表示部２０７に表示された、たとえば図１９中の任意番組データ７１８ｉについて選択すると、選択された番組データ７１８ｉについて番組詳細情報７２１を提示するためのウィンドウを表示させることができる。番組詳細情報７２１には、選択された番組データ７１８ｉに対応する番組の内容を詳しく説明する文章データ２０８の他に、該文章データ２０８に対応付けられている番組の画像や映像、ならびに音声等のデータが併せて表示（再生）される。ここでは、矢印Ｄで示される番組データ７１８ｉが、入力部７１０のマウスカーソルなどで選択されたことに応じてウィンドウが開かれて、その中に番組詳細情報７２１が表示されている。
【００８３】
図２４は、この発明の第３の実施の形態における番組データの表示処理の概略フローチャートである。図２４において、ＣＰＵ１０１は、まず文章特性記憶部２０３に記憶される番組内容の特性情報ＣＤＩを参照する（ステップＳ８０１）。あるいは、番組の内容を記述する文章記憶部２０１中の対応の文章データ２０８から、文章解析部２０２により解析されて算出された特性情報ＣＤＩを用いてもよい。次に、特性・表示属性対応テーブル群２０４中の図２０の背景色テーブルを参照して、ステップＳ８０１で参照された特性情報ＣＤＩに対応する背景色データ７２０が特定されて、背景色が設定される（ステップＳ８０２）。
【００８４】
次にユーザ興味データ記憶部７１３に予め記憶されるユーザの興味を示す情報が参照される（ステップＳ８０３）。ユーザの興味情報は、ユーザがどのような分野の番組に興味があるかに関する、ユーザの参照履歴から抽出されたデータであったり、ユーザが入力部７１０を介して明示的に設定した情報である。
【００８５】
次に、現在の時刻が参照される（ステップＳ８０４）。ここでは、システム内の時計（図示せず）が参照されてもよいし、通信ネットワーク１１１を介して得られる時刻情報が参照されてもよい。
【００８６】
次に、ステップＳ８０１で得られた番組内容の特性情報ＣＤＩとステップＳ８０３で得られたユーザの興味情報、ステップＳ８０４で得られた現在の時刻の情報とが比較照合されて、表示属性設定部２０５により番組データの表示属性、たとえば表示文字色が設定される（ステップＳ８０５）。
【００８７】
図２５は、この発明の第３の実施の形態による番組データの詳細な情報を参照する処理の概略フローチャートである。ここでは、表示部２０７に図１９の内容が表示されていたと想定する。図２５において、まず入力部７１０において、ユーザによりマウスボタンがクリックされたかどうかが判別される（ステップＳ９０１）。マウスボタンがクリックされていなければ、表示部２０７に示されるいずれの番組データ７１８ｉも選択されていないので、処理は終了する。
【００８８】
一方、マウスボタンがクリックされていたら、ＣＰＵ１０１は表示生成部２０６に問合せて、いずれの番組データ７１８ｉがマウスカーソルにより指示されているかを判断して、指示された番組データ７１８ｉが選択される（ステップＳ９０２）。次に、ステップＳ９０２で選択された番組データ７１８ｉの関連データ７１４が、データ対応記憶部７０９に記憶されている対応関係データ７１５に基づいて、関連データ記憶部７０８から読出される（ステップＳ９０３）。
【００８９】
次に、読出された関連データ７１４が表示部２０７に表示されたり、音声出力装置１０８から音声として再生される（ステップＳ９０４）。次に、選択された番組データ７１８ｉについての参照履歴記憶部７１８における参照履歴情報７２２が更新される（ステップＳ９０５）。次に、ユーザ興味データ抽出部７１２により、参照履歴記憶部７１１に記憶されるユーザの参照履歴情報７２２に基づいて、ユーザがどのような特性の番組データ７１８ｉに対して興味があるかを計算して、ユーザ興味データ記憶部７１３の内容を更新する（ステップＳ９０６）。
【００９０】
なお、ユーザの興味情報は、特性情報とは個別に管理されるから、興味情報を柔軟に管理できる。たとえば、興味情報を、複数の異なるアプリケーションで共有して利用することも、また、他のアプリケーションにより変更することも、容易に可能となる。
【００９１】
（第４の実施の形態）
次に、この発明の第４の実施の形態について説明する。
【００９２】
図２６には、この発明の第４の実施の形態による情報提示装置のブロック構成が示される。図２６において情報提示装置は、文章記憶部２０１、文章解析部２０２、文章特性記憶部２０３、特性・付随音対応テーブル群１００４、特性・定位対応テーブル１００５、付随音設定部１００６、音源定位部１００７、音声合成部１００８、音声生成部１００９および音声再生部１０１０を含む。
【００９３】
文章記憶部２０１、文章解析部２０２および文章特性記憶部２０３は、それぞれ図２で説明されたものと同様であり、ここでは説明を省略する。
【００９４】
特性・付随音対応テーブル群１００４には、文章データ２０８（２０９）から得られた特性情報ＣＤＩと、これに付随する音に関する情報との対応を記憶する複数のテーブルが格納される。図２７（Ａ）〜（Ｃ）には、特性・付随音対応テーブル群１００４中の複数の特性・付随音対応テーブルＴＢ５〜ＴＢ７が示される。
【００９５】
ここで、付随音とは、対応する特性情報ＣＤＩに関連して音声再生部１０１０から出力される、任意にパターン化された音声の情報を示す。具体的には、たとえば、文章データ２０８の特性情報ＣＤＩとして、図３で示されたように、各タグで示される文章データ２０８（２０９）に関する分類、重要度、配信された日時などを示す特性データＣＤ１〜ＣＤ３のそれぞれに対応して、付随音に関する情報、すなわちメロディ、音色、音の再生速度を示す属性データＡＴ５〜ＡＴ７が設定されている。
【００９６】
いま、たとえば、文章解析部２０８（２０９）により、文章データ２０８（２０９）について、分類が“社会”であり、重要度が“高い”であり、配信された日時が“１時間以内”であることを示すような特性情報ＣＤＩが得られた場合には、付随音設定部１００６により、特性情報ＣＤＩに基づいて図２７（Ａ）〜（Ｃ）のテーブルが検索されるので、文章データ２０８（２０９）に対応する付随音は、「ド・ミ・ソ・ミ・ド」というメロディを、ギターの音色で、９０ｂｐｍの速度で鳴らされるような音であると設定される。
【００９７】
なお、付随音は、この例のような単純な音以外でも、一般的な音楽や肉声をサンプリングした音であってもよい。また、特性・付随音対応テーブルＴＢ５〜７の内容は、固定である必要はなく、システムの状態によって変更してもよい。すなわち、音声生成部１００９および音声再生部１０１０の特性に基づいて変更してもよいことは、前述の特性・表示属性対応テーブルＴＢ１〜ＴＢ４と同様である。
【００９８】
特性・定位対応テーブル１００５は、文章データ２０８（２０９）の特性情報ＣＤＩと音を定位させる位置の情報との対応関係を記憶するテーブルである。音声を定位させるとは、音声の鳴っている位置、方向を、音声の波長、振幅などの情報を変化させて決定することである。これにより、ユーザは、音声を上、下、右、左など、各種の方向、位置から聞くことができる。音源定位部１００７は、た文章データ２０８（２０９）の特性情報ＣＤＩで示される特性データ、たとえば、‘参照履歴’（特性データＣＤ４）の情報に基づいて、特性・定位対応テーブル１００５を検索して、次のように付随音の定位を設定する。たとえば、参照履歴の情報が、参照履歴はない、と示す場合には、付随音は中央に、同様に１回参照されたことを示す場合には、右に、同様に２回以上参照されたことを示す場合には、左に、というように、付随音を定位させる。
【００９９】
音声合成部１００８は、文章記憶部２０１に記憶される各文章データ２０８（２０９）を音声データに合成する。音声データへの合成は、一般的な技術が採用されればよい。
【０１００】
音声生成部１００９は、付随音設定部１００６および音声合成部１００８で設定または合成された音を、音源定位部１００７で設定された位置で定位させるように振幅、波長などを変更して生成する。音声生成部１００９で生成された音は音声再生部１０１０で再生される。
【０１０１】
図２８には、この発明の第４の実施の形態の情報提示装置における処理の概略フローチャートが示される。図２８を参照して、まず、ＣＰＵ１０１により文章記憶部２０１に記憶される複数の文章データ２０８（２０９）の中から、次に提示される文章データ２０８（２０９）が選び出される（ステップＳ１１０１）。どの文章データ２０８（２０９）が選択されるかは、前述した手順と同様に決定される。
【０１０２】
次に、選択された文章データ２０８（２０９）の特性情報ＣＤＩが文章解析部２０２により計算されて、文章特性記憶部２０３に格納される（ステップＳ１１０２）。特性情報ＣＤＩの計算方法については前述したとおりである。
【０１０３】
次に、付随音設定部１００６により、文章特性記憶部２０３中の特性情報ＣＤＩに基づいて特性・付随音対応テーブル群１００４が検索されて、該文章データ２０８（２０９）に対応の付随音が設定される（ステップ１１０３）。次に、音源定位部１００７により、文章特性記憶部２０３中の特性情報ＣＤＩに基づいて特性・定位対応テーブル１００５が検索されて、付随音の定位する位置が設定される（ステップＳ１１０４）。
【０１０４】
次に、該文章データ２０８（２０９）は、音声合成部１００８により音声データに変換される（ステップＳ１１０５）。次に、ステップＳ１１０３で設定された付随音は、ステップＳ１１０４で設定された定位位置で、音声生成部１００９および音声再生部１０１０により再生される（ステップＳ１１０６）。次に、音声化された文章データ２０８（２０９）は、ステップＳ１１０４で設定され定位位置で、音声生成部１００９および音声再生部１０１０により再生される（ステップＳ１１０７）。
【０１０５】
また、図２６は情報提示装置を利用して、図３に示された文章データ２０８を提示することもできる。この文章データ２０８から、分類が“社会”で、重要度が“高い”で、日時が“１時間以内”に配信されたことを示し、参照履歴は“未参照”であることを示すような特性情報ＣＤＩが得られたとする。この特性情報ＣＤＩに基づいて図２７（Ａ）〜（Ｃ）の特性・付随音対応テーブルＴＢ５〜ＴＢ７および特性・定位対応テーブル１００５が検索されるので、該文章データ２０８の付随音は「ド・ミ・ソ・ミ・ド」というメロディＡＴ５を、ギターの音色ＡＴ６で、９０ｂｐｍの再生速度ＡＴ７で鳴らす音であり、中央に定位される音であると設定される。この付随音を、設定された内容にしたがって再生した後、音声化された＜title＞タグ３０１と＜/title＞タグ３０２で挟まれた該文章データ２０８のタイトル、および＜body＞タグ３０７と＜/body＞タグ３０８で挟まれた文章データ２０８の内容が再生される。
【０１０６】
このように、文章データ２０８の内容が提示（音声出力）される前に、文章データ２０８の付随音が再生されることによって、ユーザは文章データ２０８の内容を聞く前に、その内容を推測することが可能となる。また、この例では、文章データ２０８を音声合成して音により提示したが、表示により提示させてもよい。
【０１０７】
（第５の実施の形態）
次に、第５の実施の形態について説明する。第５の実施の形態では情報提示プログラムを記録したコンピュータで読取可能な記録媒体が説明される。
【０１０８】
上述した情報提示装置は、情報提示処理を機能させるためのプログラムで実現される。このプログラムは、コンピュータで読取可能な記録媒体に格納される。本実施の形態では、この記録媒体として、図１に示されている装置で処理が行なわれるために必要なＲＯＭ１０２、または外部記憶媒体１１２であってもよい。いずれの媒体においても、格納されているプログラムは、ＣＰＵ１０１によりアクセスされて実行される構成であってもよい。また、該プログラムはこれらの媒体から読出されて、図１の装置の所定のプログラム記憶エリア、たとえばＣＰＵ１０１の所定記憶エリアに一旦ロードされて、その後、ＣＰＵ１０１により該所定記憶エリアから読出されて実行される方式であってもよい。このロード用のプログラムは、予め、図１の装置に格納されているものとする。
【０１０９】
ここで、プログラム記録媒体は、図１の装置と分離可能に構成される記録媒体であってもよい。つまり、固定的にプログラムを担持する媒体であってもよく、また流動的にプログラムを担持するような媒体であってもよい。固定的にプログラムを担持する媒体としては、磁気テープやカセットテープなどのテープ系の媒体、フロッピー（登録商標）ディスクやハードディスクなどの磁気ディスクや、ＣＤ−ＲＯＭ／ＭＯ／ＭＤ／ＤＶＤなどの光ディスクなどのディスク系の媒体、ＩＣカード（メモリカードを含む）／光カードなどのカード系の媒体、あるいはマスクＲＯＭ、ＥＰＲＯＭ、ＥＥＰＲＯＭ、フラッシュＲＯＭなどによる半導体メモリが含まれる。
【０１１０】
また、流動的にプログラムを担持するような媒体としては、通信ネットワーク１１１からプログラムがダウンロードされるような装置内のメモリが含まれる。なお、通信ネットワーク１１１からプログラムが装置内のメモリにダウンロードされる場合には、そのダウンロード用プログラムは、予め装置内部のメモリに格納されるか、あるいは別の記録媒体から予め該メモリにインストールされるようにしてもよい。なお、記録媒体に格納されている内容としてはプログラムに限定されず、データであってもよい。
【０１１１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１２】
【図１】この発明の第１および第２の実施の形態に係る情報提示装置のブロック構成図である。
【図２】図１の情報提示装置における機能構成ブロック図である。
【図３】文章データ２０８の一例を示す図である。
【図４】（Ａ）〜（Ｄ）は、特性・表示属性対応テーブルの一例を説明する図である。
【図５】図１の情報提示装置の第１の実施の形態に係る概略処理フローチャートである。
【図６】（Ａ）〜（Ｆ）は、この発明の第１の実施の形態による電光掲示板に文章データをスクロールさせながら表示する例を説明する図である。
【図７】（Ａ）と（Ｂ）は、この発明の第２の実施の形態による文章データ２０９を説明する図である。
【図８】図７（Ｂ）の文章データが形態素解析された結果を表形式にして示す図である。
【図９】図１の辞書データ２１４の内容例を示す図である。
【図１０】図１の補助辞書データ２１８の内容例を示す図である。
【図１１】この発明の第２の実施の形態における表示領域と文章データの特性との対応関係を説明する図である。
【図１２】図１１におけるリンク文字列の表示例を説明する図である。
【図１３】図１１におけるリンク文字列の表示例を説明する図である。
【図１４】図１１におけるリンク文字列の表示例を説明する図である。
【図１５】図１１におけるリンク文字列の表示例を説明する図である。
【図１６】図１１におけるリンク文字列と文章データの表示例を説明する図である。
【図１７】この発明の第２の実施の形態によるリンク文字列を表示する処理の概略フローチャートである。
【図１８】この発明の第３の実施の形態による情報提示装置の構成を示すブロック図である。
【図１９】図１８の表示部におけるプログラム情報表示の例を示す図である。
【図２０】この発明の第３の実施の形態による番組データの特性と背景色との関係を表形式にして示す図である。
【図２１】図１９の表示例が放送時間方向に縮小されて、より多くの番組データが一覧表示されている例を示す図である。
【図２２】図１８の参照履歴記憶部の参照履歴情報と現在の時刻の情報とに基づく番組データの表示例を示す図である。
【図２３】図１９の任意の番組データについての詳細情報が表示された状態を示す図である。
【図２４】この発明の第３の実施の形態における番組データの表示処理の概略フローチャートである。
【図２５】この発明の第３の実施の形態における番組データの詳細な情報を参照する処理の概略フローチャートである。
【図２６】この発明の第４の実施の形態による情報提示装置の構成を示すブロック図である。
【図２７】（Ａ）〜（Ｃ）は、複数の特性・付属音対応テーブルを示す図である。
【図２８】この発明の第４の実施の形態の情報提示装置における処理の概略フローチャートである。
【符号の説明】
【０１１３】
１０１  ＣＰＵ、１０２  ＲＯＭ、１０３  ＲＡＭ、１０４  外部記憶媒体ドライバ、１０６  表示装置、１０８  音声出力装置、１０９  通信コントローラ、１１０  入力装置、１１１  通信ネットワーク、１１２  外部記憶媒体、２０１  文章記憶部、２０２  文章解析部、２０３  文章特性記憶部、２０４  特性・表示属性対応テーブル群、２０５  表示属性設定部、２０６  表示生成部、２０７  表示部、２０８，２０９  文章データ、５０１  表示領域、５０２ｉ  特性領域、５０３  リンク文字列、７０４  特性・表示属性対応テーブル群、７０８  関連データ記憶部、７０９  データ対応記憶部、７１０  入力部、７１１  参照履歴記憶部、７１２  ユーザ興味データ抽出部、７１３  ユーザ興味データ記憶部、１００４  特性・付随音対応テーブル、１００５  特性・定位対応テーブル、１００６  付随音設定部、１００７  音源定位部、１００８  音声合成部、１００９  音声生成部、１０１０  音声再生部、ＣＤＩ  特性情報。
【図１】
2005346712.tif 000003
【図２】
2005346712.tif 000004
【図３】
2005346712.tif 000005
【図４】
2005346712.tif 000006
【図５】
2005346712.tif 000007
【図６】
2005346712.tif 000008
【図７】
2005346712.tif 000009
【図８】
2005346712.tif 000010
【図９】
2005346712.tif 000011
【図１０】
2005346712.tif 000012
【図１１】
2005346712.tif 000013
【図１２】
2005346712.tif 000014
【図１３】
2005346712.tif 000015
【図１４】
2005346712.tif 000016
【図１５】
2005346712.tif 000017
【図１６】
2005346712.tif 000018
【図１７】
2005346712.tif 000019
【図１８】
2005346712.tif 000020
【図１９】
2005346712.tif 000021
【図２０】
2005346712.tif 000022
【図２１】
2005346712.tif 000023
【図２２】
2005346712.tif 000024
【図２３】
2005346712.tif 000025
【図２４】
2005346712.tif 000026
【図２５】
2005346712.tif 000027
【図２６】
2005346712.tif 000028
【図２７】
2005346712.tif 000029
【図２８】
2005346712.tif 000030